(57)【要約】      （修正有）【課題】異常な温度上昇を抑える平板ディスプレイの放熱構造を提供する。【解決手段】ディスプレイを備える電子機器の放熱要求に応じるもので、主に、プレ設置したディスプレイ内の光源部品３１の一部横側に設ける少なくとも一つの熱伝導片部材１０を含む。該熱伝導片部材１０には光源部品３１に接近するか接触する熱伝導面１０１を備える。また、面積が比較的小さく横方向に熱を導く特性の温度均等部品２は、熱伝導片部材１０上に接触して設置され、該温度均等部品２には熱源近くの熱源接近部２１と、熱源から離れた方向に延伸する熱源非接近部２２とを備え、熱伝導片部材１０を温度均等部品２に係合させて熱源の熱を異なる方向に伝えて拡散させる。これにより、熱は均等に熱伝導片部材上に分布し、迅速に対外に発散され、熱がこもって一部の温度が異常上昇するのを防ぐ。【選択図】図１
0003184407.tif 000002
【実用新案登録請求の範囲】
【請求項１】
パネルの少なくとも一部周囲に設置する少なくとも一つのバックライトモジュールの光源部品と、
導電性を備える少なくとも一つの熱伝導片をそれぞれ設けた少なくとも一つの熱伝導片部材と、
迅速に表面方向に沿って熱を導く少なくとも一つの温度均等部品と、を含み、
前記温度均等部品は熱伝導片部材上に接触し貼設し、温度均等部品には熱源近くの熱源接近部と、熱源から離れた方向に延伸する熱源非接近部とを備え、
熱伝導片部材と温度均等部品の少なくともいずれか一つには光源部品に近い熱伝導面を備えることを特徴とする、
平板ディスプレイの放熱構造。
【請求項２】
前記熱伝導片部材は少なくとも二つの熱伝導片部材によりなり、尚且つ各温度均等部品は各熱伝導片間に接触して設置されることを特徴とする請求項１に記載の平板ディスプレイの放熱構造。
【請求項３】
前記熱伝導片部材は大きさ、形状の同じ二つの熱伝導片部材によりなることを特徴とする請求項２に記載の平板ディスプレイの放熱構造。
【請求項４】
前記温度均等部品は面積が熱伝導片より小さいことを特徴とする請求項１、２、３のいずれか一項に記載の平板ディスプレイの放熱構造。
【請求項５】
前記温度均等部品は細長形状の片状体であることを特徴とする請求項４に記載の平板ディスプレイの放熱構造。
【請求項６】
前記温度均等部品は細長形状の主延伸部を備え、該主延伸部の片側には少なくとも一つの傾斜し延伸する分岐部を設けることを特徴とする請求項５に記載の平板ディスプレイの放熱構造。
【請求項７】
前記温度均等部品は細長形状の主延伸部を備え、該主延伸部の両側にはそれぞれ少なくとも一つの傾斜し延伸する分岐部を設けることを特徴とする請求項５に記載の平板ディスプレイの放熱構造。
【請求項８】
前記分岐部は熱源と主延伸部から離れた方向に傾斜し延伸することを特徴とする請求項６に記載の平板ディスプレイの放熱構造。
【請求項９】
前記分岐部は熱源と主延伸部から離れた方向に傾斜し延伸することを特徴とする請求項７に記載の平板ディスプレイの放熱構造。
【請求項１０】
前記温度均等部品と熱伝導片部材との間には導電性を備えた粘着層を設けることを特徴とする請求項１、２、３のいずれか一項に記載の平板ディスプレイの放熱構造。
【請求項１１】
前記温度均等部品と熱伝導片部材との間には導電性を備えた粘着層を設けることを特徴とする請求項４に記載の平板ディスプレイの放熱構造。
【請求項１２】
前記熱伝導片部材はモニタフレーム及びモニタ背部板によって区切られる空間内に設置し、尚且つ熱伝導片部材にはモニタ背部板に近づく接触面を備えることを特徴とする請求項１、２、３のいずれか一項に記載の平板ディスプレイの放熱構造。
【請求項１３】
前記熱伝導片部材はモニタフレーム及びモニタ背部板によって区切られる空間内に設置し、尚且つ熱伝導片部材にはモニタ背部板に近づく接触面を備えることを特徴とする請求項４に記載の平板ディスプレイの放熱構造。
【請求項１４】
前記熱伝導片部材はモニタフレーム及びモニタ背部板によって区切られる空間内に設置し、尚且つ熱伝導片部材にはモニタ背部板に近づく接触面を備えることを特徴とする請求項１０に記載の平板ディスプレイの放熱構造。
【請求項１５】
前記熱伝導片部材の接触面はモニタ背部板の内表面を圧して接触し、尚且つ該接触面とモニタ背部板との間には導電性を備えた粘着層を設けることを特徴とする請求項１２に記載の平板ディスプレイの放熱構造。
【請求項１６】
前記熱伝導片部材の接触面はモニタ背部板の内表面を圧して接触し、尚且つ該接触面とモニタ背部板との間には導電性を備えた粘着層を設けることを特徴とする請求項１３に記載の平板ディスプレイの放熱構造。
【請求項１７】
前記熱伝導片部材の接触面はモニタ背部板の内表面を圧して接触し、尚且つ該接触面とモニタ背部板との間には導電性を備えた粘着層を設けることを特徴とする請求項１４に記載の平板ディスプレイの放熱構造。
【請求項１８】
前記熱伝導片部材はモニタ背部板内の少なくとも一部の周囲に設置し、尚且つモニタ背部板のエッジデザインに従って相対して屈曲することを特徴とする請求項１５に記載の平板ディスプレイの放熱構造。
【請求項１９】
前記熱伝導片部材はモニタ背部板内の少なくとも一部の周囲に設置し、尚且つモニタ背部板のエッジデザインに従って相対して屈曲することを特徴とする請求項１６に記載の平板ディスプレイの放熱構造。
【請求項２０】
前記熱伝導片部材はモニタ背部板内の少なくとも一部の周囲に設置し、尚且つモニタ背部板のエッジデザインに従って相対して屈曲することを特徴とする請求項１７に記載の平板ディスプレイの放熱構造。
【請求項２１】
前記光源部品は熱伝導片部材の熱伝導面を圧して接触することを特徴とする請求項１、２、３のいずれか一項に記載の平板ディスプレイの放熱構造。
【請求項２２】
前記光源部品は熱伝導片部材の熱伝導面を圧して接触することを特徴とする請求項４に記載の平板ディスプレイの放熱構造。
【請求項２３】
前記光源部品は熱伝導片部材の熱伝導面を圧して接触することを特徴とする請求項１０に記載の平板ディスプレイの放熱構造。
【請求項２４】
前記光源部品は熱伝導片部材の熱伝導面を圧して接触することを特徴とする請求項１２に記載の平板ディスプレイの放熱構造。
【請求項２５】
前記光源部品は間隔をあけて設置する複数の光源体を含み、該光源体は発光ダイオードであることを特徴とする請求項１、２、３のいずれか一項に記載の平板ディスプレイの放熱構造。
【請求項２６】
前記光源部品は間隔をあけて設置する複数の光源体を含み、該光源体は発光ダイオードであることを特徴とする請求項４に記載の平板ディスプレイの放熱構造。
【請求項２７】
前記光源部品は間隔をあけて設置する複数の光源体を含み、該光源体は発光ダイオードであることを特徴とする請求項１０に記載の平板ディスプレイの放熱構造。
【請求項２８】
前記光源部品は間隔をあけて設置する複数の光源体を含み、該光源体は発光ダイオードであることを特徴とする請求項１２に記載の平板ディスプレイの放熱構造。
【請求項２９】
前記光源部品は間隔をあけて設置する複数の光源体を含み、該光源体は発光ダイオードであることを特徴とする請求項２１に記載の平板ディスプレイの放熱構造。
【考案の詳細な説明】
【技術分野】
【０００１】
本考案は、平板ディスプレイの放熱構造に関し、特にディスプレイの光源部品に発生する熱量を迅速かつ均等に拡散させて、熱がこもることによる異常な温度上昇を抑える放熱構造である。
【背景技術】
【０００２】
電子機器の（液晶）モニタに応用する従来のバックライトモジュールは、基本的に少なくとも一つの導光板の一部周囲側面に光源体を設け（多くは冷陰極管や発光ダイオード）、該導光板を使用して光源体の発する光線を均等に拡散させ、一面が光源のバックライト光線を形成する。
しかしながら、（液晶）モニタのサイズが増加されるに伴い、使用する光源体数量も増加し、尚且つその光源体の効率も拡大するため、比較的多くの熱量が発散される。これらの熱量は放熱装置によって効果的に外側に発散する必要があるほか、適当な仕切りを必要とし、さもなくば非常に熱がこもり易く（液晶）モニタの周囲側面の一部の温度が上昇し過ぎて電子製品の正常使用に影響を及ぼし、容易に関連部材の使用寿命を減少させることになる。
【０００３】
そこで、本考案者は、公知のバックライトモジュール放熱機構に存在する前記の欠点に対する研究と改善を続け、ついに本考案の創作に至った。
【考案の概要】
【考案が解決しようとする課題】
【０００４】
本考案の主な目的は、ディスプレイの光源部品から発生する熱量を迅速に四方に伝えて拡散させることで、熱量の過度集中による一部箇所の異常な温度上昇を防ぐ、平板ディスプレイの放熱構造の提供にある。
【０００５】
本考案の次の目的は、高価な熱伝導部品の使用量を効果的に減少させて、生産コストの削減を図り、尚且つ全体の経済効果を高める、平板ディスプレイの放熱構造の提供にある。
【課題を解決するための手段】
【０００６】
前述の目的及び効果を実現するために本考案が開示する技術手段は、パネルの少なくとも一部周囲に設置する少なくとも一つのバックライトモジュールの光源部品と、導電性を備える少なくとも一つの熱伝導片を設けた少なくとも一つの熱伝導片部材と、迅速に表面方向に沿って熱を導く少なくとも一つの温度均等部品と、を含み、前記温度均等部品は熱伝導片部材上に接触し貼設し、温度均等部品には熱源近くの熱源接近部と、熱源から離れた方向に延伸する熱源非接近部とを備え、熱伝導片部材と温度均等部品の少なくともいずれか一つには光源部品に近い熱伝導面を備える。
【０００７】
前記構造に基づく熱伝導片部材は少なくとも二つの熱伝導片部材よりなり、尚且つ各温度均等部品は各熱伝導片間に接触して設置される。
【０００８】
前記構造に基づく熱伝導片部材は大きさ、形状の同じ二つの熱伝導片部材よりなる。
【０００９】
前記構造に基づく温度均等部品は面積が熱伝導片より小さい片状体である。
【００１０】
前記構造に基づく温度均等部品は細長形状の片状体である。
【００１１】
前記構造に基づく温度均等部品は細長形状の主延伸部を備え、該主延伸部の片側には少なくとも一つの傾斜し延伸する分岐部を設ける。
【００１２】
前記構造に基づく温度均等部品は細長形状の主延伸部を備え、該主延伸部の両側にはそれぞれ少なくとも一つの傾斜し延伸する分岐部を設ける。
【００１３】
前記構造に基づく分岐部は熱源と主延伸部から離れた方向に傾斜し延伸する。
【００１４】
前記構造に基づく温度均等部品と熱伝導片部材との間には導電性を備えた粘着層を設ける。
【００１５】
前記構造に基づく熱伝導片部材はモニタフレーム及びモニタ背部板によって区切られる空間内に設置し、尚且つ熱伝導片部材にはモニタ背部板に近い接触面を備える。
【００１６】
前記構造に基づく熱伝導片部材の接触面はモニタ背部板の内表面を圧して接触し、尚且つ該接触面とモニタ背部板との間には導電性を備えた粘着層を設ける。
【００１７】
前記構造に基づく熱伝導片部材はモニタ背部板内の少なくとも一部の周囲に設置し、尚且つモニタ背部板のエッジデザインに従って相対して屈曲する。
【００１８】
前記構造に基づく光源部品は熱伝導片部材の熱伝導面を圧して接触する。
【００１９】
前記構造に基づく光源部品は間隔をあけて設置する複数の光源体を含み、該光源体は発光ダイオードである。
【考案の効果】
【００２０】
本考案の平板ディスプレイの放熱構造は、熱量の過度集中による一部箇所の異常な温度上昇を防ぎ、生産コストの削減と全体の経済効果の向上効果を有する。
【図面の簡単な説明】
【００２１】
【図１】本考案の第一実施例の構造分解図である。
【図２】本考案の第一実施例の一部を組み合わせた部分図である。
【図３】本考案の第一実施例の一部を組み合わせた全体図である。
【図４】本考案の第一実施例の組み合わせた全体の断面図である。
【図５】本考案の第二実施例の一部を組み合わせた部分図である。
【図６】本考案の第三実施例の一部を組み合わせた部分図である。
【図７】本考案の第四実施例の一部を組み合わせた部分図である。
【図８】本考案の第四実施例の組み合わせた全体の断面図である。
【図９】本考案の第五実施例の一部を組み合わせた部分図である。
【図１０】本考案の第六実施例の一部を組み合わせた部分図である。
【考案を実施するための形態】
【００２２】
本考案の前記目的、効果、及び特徴をさらに具体的に理解するために、以下に図面を参照しながら説明する。
【実施例１】
【００２３】
図１乃至図３に示すとおり、本考案の第一実施例の構造は主に、熱伝導片部材１０、温度均等部品２等の部分を含む。そのうち、熱伝導片部材１０は導電性を備える（金属材質としてもよい）単一の熱伝導片であり、該熱伝導片（熱伝導片部材１０）の二つの表面にはそれぞれ接触面１０１と熱伝導面１０２を設ける。該熱伝導片部材１には（液晶）モニタＡを組み合わせて共に実施してもよい。
本実施例において、モニタＡは主に液晶パネル４１とバックライトモジュール３によって構成し、該液晶パネル４１はモニタフレーム４の内側に設置し、バックライトモジュール３は液晶パネル４１の背面に貼り付け、バックライトモジュール３のもう一方側にはモニタフレーム４に結合するモニタ背部板４２を設置する。
バックライトモジュール３は、液晶パネル４１の背面に貼設する少なくとも一つの導光片３０と、導光片３０の少なくとも部分エッジに設置する光源部品３１とにより構成される。光源部品３１には間隔をあけて設置する複数の光源体３２を設ける。
熱伝導片部材１０はニーズに応じてモニタ背部板４２のエッジデザインに従って相対して屈曲し、尚且つ熱伝導片（熱伝導片部材１０）はその熱伝導面１０１の一部が光源部品３１に接近或いは接触する。また、接触面１０２はモニタ背部板４２の内表面に接触し、接触面１０２とモニタ背部板４２との間には導電性を備えた粘着層を設けるため、熱伝導片部材１０はモニタ背部板４２を介して導通、接地する。
【００２４】
温度均等部品２は、面積が熱伝導片部材１０（熱伝導片）より小さい片状構造体（グラファイト或いはその他の類似材質）である。本実施例に開示した構造においては、温度均等部品２は細長形状の片状体であり、尚且つ表面方向（横方向）に沿って迅速に熱を導く特性を備え、熱伝導片部材１０（熱伝導片）上に接触させて貼設する。
実際の適用にあたっては、温度均等部品２は導電体であり、尚且つ温度均等部品２と熱伝導片部材１０（熱伝導片）間にはニーズに応じて導電性を備える粘着層２０を設置してもよい。これにより、温度均等部品２と熱伝導片部材１０（熱伝導片）との間には導電状態が保たれる。また、温度均等部品２には光源部品３１近くの熱源接近部２１と、光源部品３１から離れた方向に延伸する熱源非接近部２２とを備える。
【００２５】
図４に示すとおり、実際の適用時には、モニタＡは電子機器の外殻４０上に結合し、該外殻４０とモニタＡとの間にその他の電子ユニットを納める収納空間４０１を結合する。
【００２６】
使用時には、光源部品３１の各光源体３２で生じた一部の熱は熱伝導面１０１から熱伝導片部材１０（熱伝導片）に伝わり、その他の大部分の熱は直接、温度均等部品２に伝導される。温度均等部品２が熱を表面方向（横方向）に沿って迅速に導く特性により、熱は、光源部品３１近くの熱源接近部２１から光源部品３１から遠くにある熱源非接近部２２に迅速に拡散した後、温度均等部品２から熱伝導片部材１０（熱伝導片）に伝えられ、熱伝導片部材１０（熱伝導片）の接触面１０２からモニタ背部板４２に伝えられる。
これにより、光源部品３１の熱は熱伝導片部材１０（熱伝導片）から対外に発散され、熱が光源部品３１周囲の箇所に溜まるのを効果的に防ぎ、モニタフレーム４外表面の一部箇所の異常な温度上昇を抑える。
【００２７】
本考案の前記の構造において、モニタフレーム４の内表面と熱伝導片部材１０（熱伝導片）の接触面１０２との間にはニーズに応じて粘着層を設置する。該粘着層は、好ましくは導電性を備え、熱伝導片部材１０（熱伝導片）とモニタフレーム４との間に安定した緊密結合を形成し、尚且つ熱伝導片部材１０（熱伝導片）とモニタフレーム４間に好ましい導電性を備えさせ、接地或いはその他の設計に利便をはかる。
また、温度均等部品２は図に示したとおり、熱伝導片部材１０（熱伝導片）の熱伝導面１０１上（光源部品３１に近い箇所）の一方側に設置するほか、実際の適用にあたっては、ニーズに応じて、直接、温度均等部品２を光源部品３１に接触させてもよい（即ち、温度均等部品２の光源部品３１に近い一方側に熱伝導面を形成する）。
また、温度均等部品２を熱伝導片部材１０（熱伝導片）の接触面１０２（光源部品３１から離れた箇所）の一方側に設置し、直接、温度均等部品２をモニタ背部板４２の内表面に接触させて、似たような熱拡散効果を実現することも可能である。
【実施例２】
【００２８】
図５に示すとおり、本考案の第二実施例の構造は主に、温度均等部品５と、前記第一実施例と同様の熱伝導片部材１０等の部分からなる。そのうち、該熱伝導片部材１０は前記第一実施例と同じ方式で同じモニタフレーム４の内表面に組み合わせる。温度均等部品５は熱伝導片部材１０（熱伝導片）の一方側に設置する片状構造体であり、熱伝導片部材１０（熱伝導片）と温度均等部品５との間にはニーズに応じて導電性を備えた粘着層を設置し、該温度均等部品５には細長形状の主延伸部５１を設ける。
該主延伸部５１の片側には傾斜し（平行）延伸する複数の分岐部５２を備え、分岐部５２は光源部品３１と主延伸部５１から離れた方向に傾斜延伸する。
【００２９】
使用の際は、光源部品３１に生じた一部の熱が接触面１０１から熱伝導片部材１０（熱伝導片）に伝えられる。他の大部分の熱は直接、温度均等部品５上に伝えられ、温度均等部品５によって熱は光源部品３１から離れたその他箇所（各分岐部５２末端）に迅速に拡散する。
その後、該熱は温度均等部品５から熱伝導片部材１０（熱伝導片）上に伝わり、熱伝導片部材１０（熱伝導片）の接触面１０２からモニタ背部板４２に伝えられるため、光源部品３１の熱は熱伝導片部材１０（熱伝導片）から対外発散し、熱が光源部品３１周囲の箇所に溜まるのを効果的に防ぐ。
【００３０】
実際の適用においては、温度均等部品５はニーズに応じてそれぞれを熱伝導片部材１０（熱伝導片）の光源部品３１から離れた一方側に設置するか、光源部品３１に近い一方側に設置し、いずれも似たような熱拡散効果を実現する。
【実施例３】
【００３１】
図６に示すとおり、本考案の第三実施例の構造は主に、温度均等部品６と、前記第一実施例と同様の熱伝導片部材１０等によりなる。そのうち、熱伝導片部材１０は、前記第一実施例と同じ方式で同じモニタフレーム４の内表面に組み合わせる。
温度均等部品６は熱伝導片部材１０（熱伝導片）の一方側に設置する片状構造体であり、熱伝導片部材１０（熱伝導片）と温度均等部品６との間にはニーズに応じて導電性を備えた粘着層を設置し、該温度均等部品６には細長形状の主延伸部６１を設ける。該主延伸部６１の両側にはそれぞれ傾斜し（平行）延伸する複数の分岐部６２、６３を備え、各分岐部６２、６３は光源部品３１と主延伸部６１から離れた方向に傾斜延伸する。
【００３２】
使用の際は、光源部品３１に生じた一部の熱が接触面１０１から熱伝導片部材１０（熱伝導片）に伝えられる。他の大部分の熱は直接、温度均等部品６上に伝えられ、温度均等部品６によって熱は光源部品３１から離れたその他箇所（各分岐部６２末端）に迅速に拡散する。
その後、該熱は温度均等部品６から熱伝導片部材１０（熱伝導片）上に伝わり、熱伝導片部材１０（熱伝導片）の接触面１０２からモニタ背部板４２に伝えられるため、光源部品３１の熱は熱伝導片部材１０（熱伝導片）から対外発散し、熱が光源部品３１周囲の箇所に溜まるのを効果的に防ぐ。
【００３３】
実際の適用にあたっては、温度均等部品はニーズに応じてそれぞれを熱伝導片部材１０（熱伝導片）の光源部品３１から離れた一方側に設置するか、光源部品３１に近い一方側に設置し、いずれも似たような熱拡散効果を実現する。
【実施例４】
【００３４】
図７、図８に示すとおり、本考案の第四実施例の構造は主に、熱伝導片部材１と、前記第一実施例と同様の温度均等部品２等によりなる。そのうち、熱伝導片部材１は、導電性を備えた（金属材質としてもよい）二つの同じ熱伝導片１１、１２を設け、尚且つ熱伝導片１２の熱伝導片１１から離れた一表面に接触面１２１を備え、熱伝導片１１の熱伝導片１２から離れた一表面に熱伝導面１１１を設ける。前記熱伝導片部材１は（液晶）モニタＡを組み合わせて共に実施する。
本実施例において、モニタＡは主に液晶パネル４１とそのバックライトモジュール３によって構成され、該液晶パネル４１は、モニタフレーム４の内側に設置され、バックライトモジュール３は液晶パネル４１の背面に貼設される。バックライトモジュール３の別の一方側にはモニタフレーム４に結合するモニタ背部板４２を設置し、バックライトモジュール３は液晶パネル４１の背面に貼設された少なくとも一つの導光片３０と、導光片３０の少なくとも一部周囲に設置される光源部品３１とにより構成される。該光源部品３１には間隔をあけて設置される複数の光源体３２を設ける。
熱伝導片部材１はニーズに応じてモニタ背部板４２のエッジデザインに従って相対する屈曲を形成し、尚且つ熱伝導片部材１はその熱伝導面１１１の一部が光源部品３１に接近するか接触し、接触面１２１はモニタ背部板４２内表面に接近するか接触する。
【００３５】
温度均等部品２は、面積が熱伝導片部材１（熱伝導片１１、１２）より小さい片状構造体（グラファイト或いはその他の類似材質）であり、それは熱伝導片部材１の熱伝導片１１、１２間に接触させて貼設する。
本実施例に開示した構造において、温度均等部品２は、細長形状の片状体であり、表面方向（横方向）に沿って迅速に熱を導く特性を備え、尚且つ導電体である。温度均等部品２と熱伝導片１１、１２間にはニーズに応じて導電性を備える粘着層２０を設置してもよい。これにより、温度均等部品２と熱伝導片１１、１２との間には導電状態が保たれる。また、温度均等部品２には光源部品３１近くの熱源接近部２１と、光源部品３１から離れた方向に延伸する熱源非接近部２２とを備える。
【００３６】
実際の適用にあたっては、モニタＡは電子機器の外殻４０上に結合し、該外殻４０とモニタＡとの間にその他の電子ユニットを納める収納空間４０１を設ける。使用時には、光源部品３１の各光源体３２で生じた一部の熱は熱伝導面１０１から熱伝導片部材１（熱伝導片１１）に伝わり、熱伝導片１１（金属材質）は熱を周囲に放射状に等速均等拡散する特性を備えている。このため、熱は非常に迅速に熱伝導片１１を通過して温度均等部品２に伝えられる。
さらに、温度均等部品２の、熱を表面方向（横方向）に沿って迅速に導く特性によって、熱は光源部品３１近くの熱源接近部２１から光源部品３１から離れている熱源非接近部２２に迅速に拡散した後、温度均等部品２からそれぞれ熱伝導片１１、１２に伝えられ、接触面１２１からモニタ背部板４２に伝えられる。
これにより、光源部品３１の熱は熱伝導片１１、１２から対外に発散され、熱が光源部品３１周囲の箇所に溜まるのを効果的に防ぎ、一部箇所の異常な温度上昇を抑える。それと同時に、相互に電気的に接続する熱伝導片１１、１２と温度均等部品２はモニタ背部板４２を介して連結し接地する。
【００３７】
本考案の前述の構造において、モニタフレーム４の内表面と熱伝導片部材１（熱伝導片１２）の接触面１２１との間にはニーズに応じて粘着層を設置する。該粘着層は、好ましくは導電性を備え、熱伝導片部材１とモニタフレーム４との間には安定した緊密結合を形成し、尚且つ熱伝導片部材１とモニタフレーム４間には好ましい導電性を備えさせ、接地或いはその他の設計に利便をはかる。
また、温度均等部品２は図に示したとおり、熱伝導片部材１（熱伝導片１１）の熱伝導面１１１上（光源部品３１に近い箇所）の一方側に設置する。実際の適用にあたっては、温度均等部品２を熱伝導片部材１（熱伝導片１２）の接触面１２１（光源部品３１から離れた箇所）の一方側に設置し、直接、温度均等部品２をモニタ背部板４２の内表面に接触させて、似たような熱拡散効果を実現することも可能である。
【実施例５】
【００３８】
図９に示すとおり、本考案の第五実施例の構造は主に、熱伝導片部材１と、前記第二実施例と同様の温度均等部品５等によりなる。そのうち、熱伝導片部材１は、導電性を備えた（金属材質としてもよい）二つの熱伝導片１１、１２を設け、尚且つ熱伝導片１２の熱伝導片１１から離れた一表面に接触面１２１を備える（該接触面は、熱伝導片１１の熱伝導片１２から離れた一表面に設けてもよい）。
実際の適用にあたっては、熱伝導片部材１は同様の方式でモニタフレーム４の内表面と組み合わせる。温度均等部品５は二つの熱伝導片１１、１２間に設置する片状構造体であり（その間にはニーズに応じて導電性を備える粘着層を設置する）、温度均等部品５には細長形状の主延伸部５１を設ける。該主延伸部５１の片側には傾斜し（平行）延伸する複数の分岐部５２を備え、分岐部５２は光源部品３１と主延伸部５１から離れた方向に傾斜延伸する。
【００３９】
使用時には、光源部品３１の生じた大部分の熱は熱伝導面１１１から熱伝導片１１に伝わり、迅速に熱伝導片１１を通過し温度均等部品５に伝えられる。温度均等部品５によって熱は熱源から離れたその他箇所（各分岐部５２末端）に迅速に拡散する。その後、熱は温度均等部品５から熱伝導片１１、１２上に伝えられ対外発散し、熱が光源部品３１周囲の箇所に溜まるのを効果的に防ぐ。
【実施例６】
【００４０】
図１０に示すとおり、本考案の第六実施例の構造は主に、熱伝導片部材１と、前記第三実施例と同様の温度均等部品６等によりなる。そのうち、熱伝導片部材１は、導電性を備えた（金属材質としてもよい）二つの熱伝導片１１、１２を設け、尚且つ熱伝導片１２の熱伝導片１１から離れた一表面に接触面１２１を備える（該接触面は、熱伝導片１１の熱伝導片１２から離れた一表面に設けてもよい）。
実際の適用にあたっては、熱伝導片部材１は同様の方式でモニタフレーム４の内表面と組み合わせる。温度均等部品６は二つの熱伝導片１１、１２間に設置する片状構造体であり（その間にはニーズに応じて導電性を備える粘着層を設置する）、温度均等部品６には細長形状の主延伸部６１を設ける。該主延伸部６１の両側にはそれぞれ傾斜し（平行）延伸する複数の分岐部６２、６３を備え、分岐部６２、６３は光源部品３１と主延伸部６１から離れた方向に傾斜延伸する。
【００４１】
使用時には、光源部品３１の生じた大部分の熱は熱伝導面１１１から熱伝導片１１に伝わり、迅速に熱伝導片１１を通過し温度均等部品６に伝えられる。温度均等部品６によって熱は熱源から離れたその他箇所（各分岐部６２末端）に迅速に拡散する。その後、熱は温度均等部品６から熱伝導片１１、１２上に伝えられ対外発散し、熱が光源部品３１周囲の箇所に溜まるのを効果的に防ぐ。
【００４２】
前述のとおり、本考案の平板ディスプレイの放熱構造は、低コストでディスプレイの放熱効率を高め、一部エリアの異常な温度上昇を抑える効果を有し、確実に新規性と進歩性を備えた考案である。
但し前述した説明の内容は、単に本考案の好ましい実施例の説明であり、本考案の技術手段と範囲に基づく変化、修飾、改善、同等効果の置換えは全て、本考案の実用新案登録請求の範囲に包含されるものとする。
【符号の説明】
【００４３】
１、１０          熱伝導片部材
１１、１２        熱伝導片
１１１、１０１    熱伝導面
１２１、１０２    接触面
２、５、６        温度均等部品
２０              粘着層
２１              熱源接近部
２２              熱源非接近部
３                バックライトモジュール
３０              導光片
３１              光源部品
３２              光源体
４                モニタフレーム
４０              外殻
４１              パネル
４２              モニタ背部板
４０１            収納空間
５１、６１        主延伸部
５２、５３、６２  分岐部
Ａ                モニタ
【図１】
0003184407.tif 000003
【図２】
0003184407.tif 000004
【図３】
0003184407.tif 000005
【図４】
0003184407.tif 000006
【図５】
0003184407.tif 000007
【図６】
0003184407.tif 000008
【図７】
0003184407.tif 000009
【図８】
0003184407.tif 000010
【図９】
0003184407.tif 000011
【図１０】
0003184407.tif 000012
【手続補正書】
【提出日】平成25年5月2日(2013.5.2)
【手続補正１】
【補正対象書類名】実用新案登録請求の範囲
【補正対象項目名】全文
【補正方法】変更
【補正の内容】
【実用新案登録請求の範囲】
【請求項１】
パネルの少なくとも一部周囲に設置する少なくとも一つのバックライトモジュールの光源部品と、
導電性を備える少なくとも一つの熱伝導片をそれぞれ設けた少なくとも一つの熱伝導片部材と、
迅速に表面方向に沿って熱を導く少なくとも一つの温度均等部品と、を含み、
前記温度均等部品は熱伝導片部材上に接触し貼設し、温度均等部品には熱源近くの熱源接近部と、熱源から離れた方向に延伸する熱源非接近部とを備え、
熱伝導片部材と温度均等部品の少なくともいずれか一つには光源部品に近い熱伝導面を備えることを特徴とする、
平板ディスプレイの放熱構造。
【請求項２】
前記熱伝導片部材は少なくとも二つの熱伝導片部材によりなり、尚且つ各温度均等部品は各熱伝導片間に接触して設置されることを特徴とする請求項１に記載の平板ディスプレイの放熱構造。
【請求項３】
前記熱伝導片部材は大きさ、形状の同じ二つの熱伝導片部材によりなることを特徴とする請求項２に記載の平板ディスプレイの放熱構造。
【請求項４】
前記温度均等部品は面積が熱伝導片より小さいことを特徴とする請求項１、２、３のいずれか一項に記載の平板ディスプレイの放熱構造。
【請求項５】
前記温度均等部品は細長形状の片状体であることを特徴とする請求項４に記載の平板ディスプレイの放熱構造。
【請求項６】
前記温度均等部品は細長形状の主延伸部を備え、該主延伸部の少なくとも片側には少なくとも一つの傾斜し延伸する分岐部を設けることを特徴とする請求項１、２、３のいずれか一項に記載の平板ディスプレイの放熱構造。
【請求項７】
前記バックライトモジュールはパネルの背面に貼設する導光片を設け、尚且つ光源部品は導光片とパネルに接近する少なくとも一部周囲に設置することを特徴とする請求項１、２、３のいずれか一項に記載の平板ディスプレイの放熱構造。
【請求項８】
前記バックライトモジュールはパネルの背面に貼設する導光片を設け、尚且つ光源部品は導光片とパネルに接近する少なくとも一部周囲に設置することを特徴とする請求項６に記載の平板ディスプレイの放熱構造。
【請求項９】
前記分岐部は熱源と主延伸部から離れた方向に傾斜し延伸することを特徴とする請求項６に記載の平板ディスプレイの放熱構造。
【請求項１０】
前記温度均等部品と熱伝導片部材との間には導電性を備えた粘着層を設けることを特徴とする請求項１、２、３のいずれか一項に記載の平板ディスプレイの放熱構造。
【請求項１１】
前記温度均等部品と熱伝導片部材との間には導電性を備えた粘着層を設けることを特徴とする請求項４に記載の平板ディスプレイの放熱構造。
【請求項１２】
前記熱伝導片部材はモニタフレーム及びモニタ背部板によって区切られる空間内に設置し、尚且つ熱伝導片部材にはモニタ背部板に近づく接触面を備えることを特徴とする請求項１、２、３のいずれか一項に記載の平板ディスプレイの放熱構造。
【請求項１３】
前記熱伝導片部材はモニタフレーム及びモニタ背部板によって区切られる空間内に設置し、尚且つ熱伝導片部材にはモニタ背部板に近づく接触面を備えることを特徴とする請求項４に記載の平板ディスプレイの放熱構造。
【請求項１４】
前記熱伝導片部材はモニタフレーム及びモニタ背部板によって区切られる空間内に設置し、尚且つ熱伝導片部材にはモニタ背部板に近づく接触面を備えることを特徴とする請求項１０に記載の平板ディスプレイの放熱構造。
【請求項１５】
前記熱伝導片部材の接触面はモニタ背部板の内表面を圧して接触し、尚且つ該接触面とモニタ背部板との間には導電性を備えた粘着層を設けることを特徴とする請求項１２に記載の平板ディスプレイの放熱構造。
【請求項１６】
前記熱伝導片部材の接触面はモニタ背部板の内表面を圧して接触し、尚且つ該接触面とモニタ背部板との間には導電性を備えた粘着層を設けることを特徴とする請求項１３に記載の平板ディスプレイの放熱構造。
【請求項１７】
前記熱伝導片部材の接触面はモニタ背部板の内表面を圧して接触し、尚且つ該接触面とモニタ背部板との間には導電性を備えた粘着層を設けることを特徴とする請求項１４に記載の平板ディスプレイの放熱構造。
【請求項１８】
前記熱伝導片部材はモニタ背部板内の少なくとも一部の周囲に設置し、尚且つモニタ背部板のエッジデザインに従って相対して屈曲することを特徴とする請求項１５に記載の平板ディスプレイの放熱構造。
【請求項１９】
前記熱伝導片部材はモニタ背部板内の少なくとも一部の周囲に設置し、尚且つモニタ背部板のエッジデザインに従って相対して屈曲することを特徴とする請求項１６に記載の平板ディスプレイの放熱構造。
【請求項２０】
前記熱伝導片部材はモニタ背部板内の少なくとも一部の周囲に設置し、尚且つモニタ背部板のエッジデザインに従って相対して屈曲することを特徴とする請求項１７に記載の平板ディスプレイの放熱構造。
【請求項２１】
前記光源部品は熱伝導片部材の熱伝導面を圧して接触することを特徴とする請求項１、２、３のいずれか一項に記載の平板ディスプレイの放熱構造。
【請求項２２】
前記光源部品は熱伝導片部材の熱伝導面を圧して接触することを特徴とする請求項４に記載の平板ディスプレイの放熱構造。
【請求項２３】
前記光源部品は熱伝導片部材の熱伝導面を圧して接触することを特徴とする請求項１０に記載の平板ディスプレイの放熱構造。
【請求項２４】
前記光源部品は熱伝導片部材の熱伝導面を圧して接触することを特徴とする請求項１２に記載の平板ディスプレイの放熱構造。
【請求項２５】
前記光源部品は間隔をあけて設置する複数の光源体を含み、該光源体は発光ダイオードであることを特徴とする請求項１、２、３のいずれか一項に記載の平板ディスプレイの放熱構造。
【請求項２６】
前記光源部品は間隔をあけて設置する複数の光源体を含み、該光源体は発光ダイオードであることを特徴とする請求項４に記載の平板ディスプレイの放熱構造。
【請求項２７】
前記光源部品は間隔をあけて設置する複数の光源体を含み、該光源体は発光ダイオードであることを特徴とする請求項１０に記載の平板ディスプレイの放熱構造。
【請求項２８】
前記光源部品は間隔をあけて設置する複数の光源体を含み、該光源体は発光ダイオードであることを特徴とする請求項１２に記載の平板ディスプレイの放熱構造。
【請求項２９】
前記光源部品は間隔をあけて設置する複数の光源体を含み、該光源体は発光ダイオードであることを特徴とする請求項２１に記載の平板ディスプレイの放熱構造。
【手続補正２】
【補正対象書類名】明細書
【補正対象項目名】全文
【補正方法】変更
【補正の内容】
【考案の詳細な説明】
【技術分野】
【０００１】
本考案は、平板ディスプレイの放熱構造に関し、特にディスプレイの光源部品に発生する熱量を迅速かつ均等に拡散させて、熱がこもることによる異常な温度上昇を抑える放熱構造である。
【背景技術】
【０００２】
電子機器の（液晶）モニタに応用する従来のバックライトモジュールは、基本的に少なくとも一つの導光板の一部周囲側面に光源体を設け（多くは冷陰極管や発光ダイオード）、該導光板を使用して光源体の発する光線を均等に拡散させ、一面が光源のバックライト光線を形成する。
しかしながら、（液晶）モニタのサイズが増加されるに伴い、使用する光源体数量も増加し、尚且つその光源体の効率も拡大するため、比較的多くの熱量が発散される。これらの熱量は放熱装置によって効果的に外側に発散する必要があるほか、適当な仕切りを必要とし、さもなくば非常に熱がこもり易く（液晶）モニタの周囲側面の一部の温度が上昇し過ぎて電子製品の正常使用に影響を及ぼし、容易に関連部材の使用寿命を減少させることになる。
【０００３】
そこで、本考案者は、公知のバックライトモジュール放熱機構に存在する前記の欠点に対する研究と改善を続け、ついに本考案の創作に至った。
【考案の概要】
【考案が解決しようとする課題】
【０００４】
本考案の主な目的は、ディスプレイの光源部品から発生する熱量を迅速に四方に伝えて拡散させることで、熱量の過度集中による一部箇所の異常な温度上昇を防ぐ、平板ディスプレイの放熱構造の提供にある。
【０００５】
本考案の次の目的は、高価な熱伝導部品の使用量を効果的に減少させて、生産コストの削減を図り、尚且つ全体の経済効果を高める、平板ディスプレイの放熱構造の提供にある。
【課題を解決するための手段】
【０００６】
前述の目的及び効果を実現するために本考案が開示する技術手段は、液晶パネルの如きパネルの少なくとも一部周囲に設置する少なくとも一つのバックライトモジュールの光源部品と、導電性を備える少なくとも一つの熱伝導片を設けた少なくとも一つの熱伝導片部材と、迅速に表面方向に沿って熱を導く少なくとも一つの温度均等部品と、を含み、前記温度均等部品は熱伝導片部材上に接触し貼設し、温度均等部品には熱源近くの熱源接近部と、熱源から離れた方向に延伸する熱源非接近部とを備え、熱伝導片部材と温度均等部品の少なくともいずれか一つには光源部品に近い熱伝導面を備える。
【０００７】
前記構造に基づく熱伝導片部材は少なくとも二つの熱伝導片部材よりなり、尚且つ各温度均等部品は各熱伝導片間に接触して設置される。
【０００８】
前記構造に基づく熱伝導片部材は大きさ、形状の同じ二つの熱伝導片部材よりなる。
【０００９】
前記構造に基づく温度均等部品は面積が熱伝導片より小さい片状体である。
【００１０】
前記構造に基づく温度均等部品は細長形状の片状体である。
【００１１】
前記構造に基づく温度均等部品は細長形状の主延伸部を備え、該主延伸部の片側には少なくとも一つの傾斜し延伸する分岐部を設ける。
【００１２】
前記構造に基づくバックライトモジュールはパネルの背面に貼設する導光片を設け、尚且つ光源部品は導光片とパネルに接近する少なくとも一部周囲に設置する。
【００１３】
前記構造に基づく分岐部は熱源と主延伸部から離れた方向に傾斜し延伸する。
【００１４】
前記構造に基づく温度均等部品と熱伝導片部材との間には導電性を備えた粘着層を設ける。
【００１５】
前記構造に基づく熱伝導片部材はモニタフレーム及びモニタ背部板によって区切られる空間内に設置し、尚且つ熱伝導片部材にはモニタ背部板に近い接触面を備える。
【００１６】
前記構造に基づく熱伝導片部材の接触面はモニタ背部板の内表面を圧して接触し、尚且つ該接触面とモニタ背部板との間には導電性を備えた粘着層を設ける。
【００１７】
前記構造に基づく熱伝導片部材はモニタ背部板内の少なくとも一部の周囲に設置し、尚且つモニタ背部板のエッジデザインに従って相対して屈曲する。
【００１８】
前記構造に基づく光源部品は熱伝導片部材の熱伝導面を圧して接触する。
【００１９】
前記構造に基づく光源部品は間隔をあけて設置する複数の光源体を含み、該光源体は発光ダイオードである。
【考案の効果】
【００２０】
本考案の平板ディスプレイの放熱構造は、熱量の過度集中による一部箇所の異常な温度上昇を防ぎ、生産コストの削減と全体の経済効果の向上効果を有する。
【図面の簡単な説明】
【００２１】
【図１】本考案の第一実施例の構造分解図である。
【図２】本考案の第一実施例の一部を組み合わせた部分図である。
【図３】本考案の第一実施例の一部を組み合わせた全体図である。
【図４】本考案の第一実施例の組み合わせた全体の断面図である。
【図５】本考案の第二実施例の一部を組み合わせた部分図である。
【図６】本考案の第三実施例の一部を組み合わせた部分図である。
【図７】本考案の第四実施例の一部を組み合わせた部分図である。
【図８】本考案の第四実施例の組み合わせた全体の断面図である。
【図９】本考案の第五実施例の一部を組み合わせた部分図である。
【図１０】本考案の第六実施例の一部を組み合わせた部分図である。
【考案を実施するための形態】
【００２２】
本考案の前記目的、効果、及び特徴をさらに具体的に理解するために、以下に図面を参照しながら説明する。
【実施例１】
【００２３】
図１乃至図３に示すとおり、本考案の第一実施例の構造は主に、熱伝導片部材１０、温度均等部品２等の部分を含む。そのうち、熱伝導片部材１０は導電性を備える（金属材質としてもよい）単一の熱伝導片であり、該熱伝導片（熱伝導片部材１０）の二つの表面にはそれぞれ接触面１０１と熱伝導面１０２を設ける。該熱伝導片部材１には（液晶）モニタＡを組み合わせて共に実施してもよい。
本実施例において、モニタＡは主にパネル（液晶パネル）４１とバックライトモジュール３によって構成し、該パネル４１はモニタフレーム４の内側に設置し、バックライトモジュール３はパネル４１の背面に貼設し、バックライトモジュール３のもう一方側にはモニタフレーム４に結合するモニタ背部板４２を設置する。
バックライトモジュール３は、パネル４１の背面に貼設する少なくとも一つの導光片３０と、導光片３０の少なくとも部分エッジに設置する光源部品３１とにより構成される。光源部品３１には間隔をあけて設置する複数の光源体３２を設ける。
熱伝導片部材１０はニーズに応じてモニタ背部板４２のエッジデザインに従って相対して屈曲し、尚且つ熱伝導片（熱伝導片部材１０）はその熱伝導面１０１の一部が光源部品３１に接近或いは接触する。また、接触面１０２はモニタ背部板４２の内表面に接触し、接触面１０２とモニタ背部板４２との間には導電性を備えた粘着層を設けるため、熱伝導片部材１０はモニタ背部板４２を介して導通、接地する。
【００２４】
温度均等部品２は、面積が熱伝導片部材１０（熱伝導片）より小さい片状構造体（グラファイト或いはその他の類似材質）である。本実施例に開示した構造においては、温度均等部品２は細長形状の片状体であり、尚且つ表面方向（横方向）に沿って迅速に熱を導く特性を備え、熱伝導片部材１０（熱伝導片）上に接触させて貼設する。
実際の適用にあたっては、温度均等部品２は導電体であり、尚且つ温度均等部品２と熱伝導片部材１０（熱伝導片）間にはニーズに応じて導電性を備える粘着層２０を設置してもよい。これにより、温度均等部品２と熱伝導片部材１０（熱伝導片）との間には導電状態が保たれる。また、温度均等部品２には光源部品３１近くの熱源接近部２１と、光源部品３１から離れた方向に延伸する熱源非接近部２２とを備える。
【００２５】
図４に示すとおり、実際の適用時には、モニタＡは電子機器の外殻４０上に結合し、該外殻４０とモニタＡとの間にその他の電子ユニットを納める収納空間４０１を結合する。
【００２６】
使用時には、光源部品３１の各光源体３２で生じた一部の熱は熱伝導面１０１から熱伝導片部材１０（熱伝導片）に伝わり、その他の大部分の熱は直接、温度均等部品２に伝導される。温度均等部品２が熱を表面方向（横方向）に沿って迅速に導く特性により、熱は、光源部品３１近くの熱源接近部２１から光源部品３１から遠くにある熱源非接近部２２に迅速に拡散した後、温度均等部品２から熱伝導片部材１０（熱伝導片）に伝えられ、熱伝導片部材１０（熱伝導片）の接触面１０２からモニタ背部板４２に伝えられる。
これにより、光源部品３１の熱は熱伝導片部材１０（熱伝導片）から対外に発散され、熱が光源部品３１周囲の箇所に溜まるのを効果的に防ぎ、モニタフレーム４外表面の一部箇所の異常な温度上昇を抑える。
【００２７】
本考案の前記の構造において、モニタフレーム４の内表面と熱伝導片部材１０（熱伝導片）の接触面１０２との間にはニーズに応じて粘着層を設置する。該粘着層は、好ましくは導電性を備え、熱伝導片部材１０（熱伝導片）とモニタフレーム４との間に安定した緊密結合を形成し、尚且つ熱伝導片部材１０（熱伝導片）とモニタフレーム４間に好ましい導電性を備えさせ、接地或いはその他の設計に利便をはかる。
また、温度均等部品２は図に示したとおり、熱伝導片部材１０（熱伝導片）の熱伝導面１０１上（光源部品３１に近い箇所）の一方側に設置するほか、実際の適用にあたっては、ニーズに応じて、直接、温度均等部品２を光源部品３１に接触させてもよい（即ち、温度均等部品２の光源部品３１に近い一方側に熱伝導面を形成する）。
また、温度均等部品２を熱伝導片部材１０（熱伝導片）の接触面１０２（光源部品３１から離れた箇所）の一方側に設置し、直接、温度均等部品２をモニタ背部板４２の内表面に接触させて、似たような熱拡散効果を実現することも可能である。
【実施例２】
【００２８】
図５に示すとおり、本考案の第二実施例の構造は主に、温度均等部品５と、前記第一実施例と同様の熱伝導片部材１０等の部分からなる。そのうち、該熱伝導片部材１０は前記第一実施例と同じ方式で同じモニタフレーム４の内表面に組み合わせる。温度均等部品５は熱伝導片部材１０（熱伝導片）の一方側に設置する片状構造体であり、熱伝導片部材１０（熱伝導片）と温度均等部品５との間にはニーズに応じて導電性を備えた粘着層を設置し、該温度均等部品５には細長形状の主延伸部５１を設ける。
該主延伸部５１の片側には傾斜し（平行）延伸する複数の分岐部５２を備え、分岐部５２は光源部品３１と主延伸部５１から離れた方向に傾斜延伸する。
【００２９】
使用の際は、光源部品３１に生じた一部の熱が接触面１０１から熱伝導片部材１０（熱伝導片）に伝えられる。他の大部分の熱は直接、温度均等部品５上に伝えられ、温度均等部品５によって熱は光源部品３１から離れたその他箇所（各分岐部５２末端）に迅速に拡散する。
その後、該熱は温度均等部品５から熱伝導片部材１０（熱伝導片）上に伝わり、熱伝導片部材１０（熱伝導片）の接触面１０２からモニタ背部板４２に伝えられるため、光源部品３１の熱は熱伝導片部材１０（熱伝導片）から対外発散し、熱が光源部品３１周囲の箇所に溜まるのを効果的に防ぐ。
【００３０】
実際の適用においては、温度均等部品５はニーズに応じてそれぞれを熱伝導片部材１０（熱伝導片）の光源部品３１から離れた一方側に設置するか、光源部品３１に近い一方側に設置し、いずれも似たような熱拡散効果を実現する。
【実施例３】
【００３１】
図６に示すとおり、本考案の第三実施例の構造は主に、温度均等部品６と、前記第一実施例と同様の熱伝導片部材１０等によりなる。そのうち、熱伝導片部材１０は、前記第一実施例と同じ方式で同じモニタフレーム４の内表面に組み合わせる。
温度均等部品６は熱伝導片部材１０（熱伝導片）の一方側に設置する片状構造体であり、熱伝導片部材１０（熱伝導片）と温度均等部品６との間にはニーズに応じて導電性を備えた粘着層を設置し、該温度均等部品６には細長形状の主延伸部６１を設ける。該主延伸部６１の両側にはそれぞれ傾斜し（平行）延伸する複数の分岐部６２、６３を備え、各分岐部６２、６３は光源部品３１と主延伸部６１から離れた方向に傾斜延伸する。
【００３２】
使用の際は、光源部品３１に生じた一部の熱が接触面１０１から熱伝導片部材１０（熱伝導片）に伝えられる。他の大部分の熱は直接、温度均等部品６上に伝えられ、温度均等部品６によって熱は光源部品３１から離れたその他箇所（各分岐部６２末端）に迅速に拡散する。
その後、該熱は温度均等部品６から熱伝導片部材１０（熱伝導片）上に伝わり、熱伝導片部材１０（熱伝導片）の接触面１０２からモニタ背部板４２に伝えられるため、光源部品３１の熱は熱伝導片部材１０（熱伝導片）から対外発散し、熱が光源部品３１周囲の箇所に溜まるのを効果的に防ぐ。
【００３３】
実際の適用にあたっては、温度均等部品はニーズに応じてそれぞれを熱伝導片部材１０（熱伝導片）の光源部品３１から離れた一方側に設置するか、光源部品３１に近い一方側に設置し、いずれも似たような熱拡散効果を実現する。
【実施例４】
【００３４】
図７、図８に示すとおり、本考案の第四実施例の構造は主に、熱伝導片部材１と、前記第一実施例と同様の温度均等部品２等によりなる。そのうち、熱伝導片部材１は、導電性を備えた（金属材質としてもよい）二つの同じ熱伝導片１１、１２を設け、尚且つ熱伝導片１２の熱伝導片１１から離れた一表面に接触面１２１を備え、熱伝導片１１の熱伝導片１２から離れた一表面に熱伝導面１１１を設ける。前記熱伝導片部材１は（液晶）モニタＡを組み合わせて共に実施する。
本実施例において、モニタＡは主にパネル４１とそのバックライトモジュール３によって構成され、該パネル４１は、モニタフレーム４の内側に設置され、バックライトモジュール３の別の一方側にはモニタフレーム４に結合するモニタ背部板４２を設置し、バックライトモジュール３はパネル４１の背面に貼設された少なくとも一つの導光片３０と、導光片３０とパネル４１に接近する少なくとも一部周囲に設置される光源部品３１とにより構成される。該光源部品３１には間隔をあけて設置される複数の光源体３２を設ける。
熱伝導片部材１はニーズに応じてモニタ背部板４２のエッジデザインに従って相対する屈曲を形成し、尚且つ熱伝導片部材１はその熱伝導面１１１の一部が光源部品３１に接近するか接触し、接触面１２１はモニタ背部板４２内表面に接近するか接触する。
【００３５】
温度均等部品２は、面積が熱伝導片部材１（熱伝導片１１、１２）より小さい片状構造体（グラファイト或いはその他の類似材質）であり、それは熱伝導片部材１の熱伝導片１１、１２間に接触させて貼設する。
本実施例に開示した構造において、温度均等部品２は、細長形状の片状体であり、表面方向（横方向）に沿って迅速に熱を導く特性を備え、尚且つ導電体である。温度均等部品２と熱伝導片１１、１２間にはニーズに応じて導電性を備える粘着層２０を設置してもよい。これにより、温度均等部品２と熱伝導片１１、１２との間には導電状態が保たれる。また、温度均等部品２には光源部品３１近くの熱源接近部２１と、光源部品３１から離れた方向に延伸する熱源非接近部２２とを備える。
【００３６】
実際の適用にあたっては、モニタＡは電子機器の外殻４０上に結合し、該外殻４０とモニタＡとの間にその他の電子ユニットを納める収納空間４０１を設ける。使用時には、光源部品３１の各光源体３２で生じた一部の熱は熱伝導面１０１から熱伝導片部材１（熱伝導片１１）に伝わり、熱伝導片１１（金属材質）は熱を周囲に放射状に等速均等拡散する特性を備えている。このため、熱は非常に迅速に熱伝導片１１を通過して温度均等部品２に伝えられる。
さらに、温度均等部品２の、熱を表面方向（横方向）に沿って迅速に導く特性によって、熱は光源部品３１近くの熱源接近部２１から光源部品３１から離れている熱源非接近部２２に迅速に拡散した後、温度均等部品２からそれぞれ熱伝導片１１、１２に伝えられ、接触面１２１からモニタ背部板４２に伝えられる。
これにより、光源部品３１の熱は熱伝導片１１、１２から対外に発散され、熱が光源部品３１周囲の箇所に溜まるのを効果的に防ぎ、一部箇所の異常な温度上昇を抑える。それと同時に、相互に電気的に接続する熱伝導片１１、１２と温度均等部品２はモニタ背部板４２を介して連結し接地する。
【００３７】
本考案の前述の構造において、モニタフレーム４の内表面と熱伝導片部材１（熱伝導片１２）の接触面１２１との間にはニーズに応じて粘着層を設置する。該粘着層は、好ましくは導電性を備え、熱伝導片部材１とモニタフレーム４との間には安定した緊密結合を形成し、尚且つ熱伝導片部材１とモニタフレーム４間には好ましい導電性を備えさせ、接地或いはその他の設計に利便をはかる。
また、温度均等部品２は図に示したとおり、熱伝導片部材１（熱伝導片１１）の熱伝導面１１１上（光源部品３１に近い箇所）の一方側に設置する。実際の適用にあたっては、温度均等部品２を熱伝導片部材１（熱伝導片１２）の接触面１２１（光源部品３１から離れた箇所）の一方側に設置し、直接、温度均等部品２をモニタ背部板４２の内表面に接触させて、似たような熱拡散効果を実現することも可能である。
【実施例５】
【００３８】
図９に示すとおり、本考案の第五実施例の構造は主に、熱伝導片部材１と、前記第二実施例と同様の温度均等部品５等によりなる。そのうち、熱伝導片部材１は、導電性を備えた（金属材質としてもよい）二つの熱伝導片１１、１２を設け、尚且つ熱伝導片１２の熱伝導片１１から離れた一表面に接触面１２１を備える（該接触面は、熱伝導片１１の熱伝導片１２から離れた一表面に設けてもよい）。
実際の適用にあたっては、熱伝導片部材１は同様の方式でモニタフレーム４の内表面と組み合わせる。温度均等部品５は二つの熱伝導片１１、１２間に設置する片状構造体であり（その間にはニーズに応じて導電性を備える粘着層を設置する）、温度均等部品５には細長形状の主延伸部５１を設ける。該主延伸部５１の片側には傾斜し（平行）延伸する複数の分岐部５２を備え、分岐部５２は光源部品３１と主延伸部５１から離れた方向に傾斜延伸する。
【００３９】
使用時には、光源部品３１の生じた大部分の熱は熱伝導面１１１から熱伝導片１１に伝わり、迅速に熱伝導片１１を通過し温度均等部品５に伝えられる。温度均等部品５によって熱は熱源から離れたその他箇所（各分岐部５２末端）に迅速に拡散する。その後、熱は温度均等部品５から熱伝導片１１、１２上に伝えられ対外発散し、熱が光源部品３１周囲の箇所に溜まるのを効果的に防ぐ。
【実施例６】
【００４０】
図１０に示すとおり、本考案の第六実施例の構造は主に、熱伝導片部材１と、前記第三実施例と同様の温度均等部品６等によりなる。そのうち、熱伝導片部材１は、導電性を備えた（金属材質としてもよい）二つの熱伝導片１１、１２を設け、尚且つ熱伝導片１２の熱伝導片１１から離れた一表面に接触面１２１を備える（該接触面は、熱伝導片１１の熱伝導片１２から離れた一表面に設けてもよい）。
実際の適用にあたっては、熱伝導片部材１は同様の方式でモニタフレーム４の内表面と組み合わせる。温度均等部品６は二つの熱伝導片１１、１２間に設置する片状構造体であり（その間にはニーズに応じて導電性を備える粘着層を設置する）、温度均等部品６には細長形状の主延伸部６１を設ける。該主延伸部６１の両側にはそれぞれ傾斜し（平行）延伸する複数の分岐部６２、６３を備え、分岐部６２、６３は光源部品３１と主延伸部６１から離れた方向に傾斜延伸する。
【００４１】
使用時には、光源部品３１の生じた大部分の熱は熱伝導面１１１から熱伝導片１１に伝わり、迅速に熱伝導片１１を通過し温度均等部品６に伝えられる。温度均等部品６によって熱は熱源から離れたその他箇所（各分岐部６２末端）に迅速に拡散する。その後、熱は温度均等部品６から熱伝導片１１、１２上に伝えられ対外発散し、熱が光源部品３１周囲の箇所に溜まるのを効果的に防ぐ。
【００４２】
前述のとおり、本考案の平板ディスプレイの放熱構造は、低コストでディスプレイの放熱効率を高め、一部エリアの異常な温度上昇を抑える効果を有し、確実に新規性と進歩性を備えた考案である。
但し前述した説明の内容は、単に本考案の好ましい実施例の説明であり、本考案の技術手段と範囲に基づく変化、修飾、改善、同等効果の置換えは全て、本考案の実用新案登録請求の範囲に包含されるものとする。
【符号の説明】
【００４３】
１、１０          熱伝導片部材
１１、１２        熱伝導片
１１１、１０１    熱伝導面
１２１、１０２    接触面
２、５、６        温度均等部品
２０              粘着層
２１              熱源接近部
２２              熱源非接近部
３                バックライトモジュール
３０              導光片
３１              光源部品
３２              光源体
４                モニタフレーム
４０              外殻
４１              パネル
４２              モニタ背部板
４０１            収納空間
５１、６１        主延伸部
５２、５３、６２  分岐部
Ａ                モニタ